(57)【要約】【課題】  外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けることにより、上下一体型外装に比べて歩容、耐久性、外観を高める。【解決手段】  内部に骨格構造２を有し、その骨格構造２を覆う外装を備えた義足１において、外装を膝軸２ｄを境にして上下に二分割し、二分割した膝上外装３と膝下外装４との境界部分の膝蓋骨側１ａに、上下方向に伸縮する弾性帯６と該弾性帯６の内面側に膝蓋骨パット５とを取り付けた。【選択図】        図１
0003103785.tif 000002
【実用新案登録請求の範囲】
【請求項１】
内部に骨格構造を有し、その骨格構造を覆う外装を備えた義足において、外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けたことを特徴とする分割型外装を備えた義足。
【請求項２】
弾性帯は、その下端側が膝下外装の上端側に一体的に取り付けられ、その上端側が膝上外装に着脱自在に取り付けられている請求項１記載の分割型外装を備えた義足。
【請求項３】
内部に骨格構造を有し、その骨格構造を覆う膝下外装を備え、膝上側に大腿ソケットを備えた義足において、膝下側の膝下外装と膝上側の大腿ソケットとの境界部分の膝蓋骨側に、上下方向に伸縮する弾性帯と該弾性帯の内面側に膝蓋骨パットとを取り付けたことを特徴とする膝下外装及び大腿ソケットを備えた義足。
【請求項４】
弾性帯は、その下端側が膝下外装の上端側に一体的に取り付けられ、その上端側が大腿ソケットに着脱自在に取り付けられている請求項３記載の膝下外装及び大腿ソケットを備えた義足。
【考案の詳細な説明】
【技術分野】
【０００１】
この考案は、内部に骨格構造を有し、その骨格構造を覆う外装を備えた義足に係り、特に、外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けることにより、上下一体型外装に比べて歩容、耐久性、外観を高めた分割型外装を備えた義足に関するものである。
また、この考案は、内部に骨格構造を有し、その骨格構造を覆う膝下外装を備え、膝上側に大腿ソケットを備えた義足に係り、特に、膝下側の膝下外装と膝上側の大腿ソケットとの境界部分の膝蓋骨側に、上下方向に伸縮する弾性帯と該弾性帯の内面側に膝蓋骨パットとを取り付けることにより、上下一体型外装に比べて歩容、耐久性、外観を高めた膝下外装及び大腿ソケットを備えた義足に関するものである。
【背景技術】
【０００２】
義足の大腿パイプ、膝継手、下腿パイプなどの骨格構造が露骨に見えるのは外観上好ましくないので、この骨格構造を覆って外部から見えないようにするために軟性発泡材料からなる上下一体型外装を備えた義足が知られている。同様に、義足の大腿ソケットの下方に膝継手、下腿パイプなどの骨格構造を取り付けたものについても、この骨格構造を覆って外部から見えないようにするために軟性発泡材料からなる上下一体型外装を大腿ソケットの下部及びその下方側に備えた義足が知られている。外装は外観だけでなく機能面にも影響する。
上下一体型外装の利点としては、外観に優れ、ズボンなどの服の破損等を防止できる。上下一体型外装の欠点としては、膝が重たい感じになり、遊脚期の膝継手最大屈曲角等に悪影響が出る。また、柔らかいために破損が多く、耐久性もない。ユーザーからの要求も高く、臨床においては重要な部品といえる。
現在は軟性発泡材料の規格品から装着者の寸法に合わせ削りだして製作するのが主流となっている。
【特許文献１】特開平０６−２２５８９７
【考案の開示】
【考案が解決しようとする課題】
【０００３】
しかし、その材料では耐久性がなく１年程度で交換となる場合が多い。またターンテーブルなどの使用により早期に膝部分が破損するケースが大半である。膝の曲がりが悪いなどの苦情も多い。
【０００４】
この考案は、上記のような課題に鑑み、その課題を解決すべく創案されたものであって、その目的とするところは、外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けることにより、上下一体型外装に比べて歩容、耐久性、外観を高めることのできる分割型外装を備えた義足を提供することにある。
また、この考案は、上記のような課題に鑑み、その課題を解決すべく創案されたものであって、その目的とするところは、膝下側の膝下外装と膝上側の大腿ソケットとの境界部分の膝蓋骨側に、上下方向に伸縮する弾性帯と該弾性帯の内面側に膝蓋骨パットとを取り付けることにより、上下一体型外装に比べて歩容、耐久性、外観を高めることのできる膝下外装及び大腿ソケットを備えた義足を提供することにある。
【課題を解決するための手段】
【０００５】
以上の目的を達成するために、請求項１の考案は、内部に骨格構造を有し、その骨格構造を覆う外装を備えた義足において、外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けた手段よりなるものである。
【０００６】
また、以上の目的を達成するために、請求項３の考案は、内部に骨格構造を有し、その骨格構造を覆う膝下外装を備え、膝上側に大腿ソケットを備えた義足において、膝下側の膝下外装と膝上側の大腿ソケットとの境界部分の膝蓋骨側に、上下方向に伸縮する弾性帯と該弾性帯の内面側に膝蓋骨パットとを取り付けた手段よりなるものである。
【考案の効果】
【０００７】
請求項１の考案に係る分割型外装を備えた義足によれば、内部に骨格構造を有し、その骨格構造を覆う外装を備えた義足において、外装を膝軸を境にして上下に二分割し、二分割した膝上外装と膝下外装との境界部分の膝蓋骨側に、上下方向に伸縮する弾性帯と該弾性帯の内面側に膝蓋骨パットとを取り付けたことにより、上下一体型外装に比べて伸展補助及び屈曲抵抗を小さくでき、膝が軽くなる感じにすることができる。また、上下一体型外装に比べて膝部分で分割されているために上下分割型の外装は破れ難く又汚れ難くすることができる。外装によって骨格構造を隠して外観の改善が図られるのは勿論のこと、さらに、膝蓋骨パットによって座位の膝形状を改善して外観を良くすることができると共に二分割した膝上外装と膝下外装との前側の境界部分にズボンの一部分の挟み込みを防ぐことができる。このように、上下一体型外装に比べて歩容、耐久性、外観を高めることができる。
また、請求項２のように、弾性帯が、その下端側が膝下外装の上端側に一体的に取り付けられ、その上端側が膝上外装の下端側に着脱自在に取り付けられている場合には、弾性帯を外すことにより膝下外装と膝上外装とを簡単に分割でき、又膝部分のメンテナンスを行い易くすることができる。
【０００８】
請求項３の考案に係る膝下外装及び大腿ソケットを備えた義足によれば、内部に骨格構造を有し、その骨格構造を覆う膝下外装を備え、膝上側に大腿ソケットを備えた義足において、膝下側の膝下外装と膝上側の大腿ソケットとの境界部分の膝蓋骨側に、上下方向に伸縮する弾性帯と該弾性帯の内面側に膝蓋骨パットとを取り付けたことにより、上下一体型外装に比べて伸展補助及び屈曲抵抗を小さくでき、膝が軽くなる感じにすることができる。また、上下一体型外装に比べて膝部分で分離されているために膝下外装は破れ難く又汚れ難くすることができる。膝下外装によって骨格構造を隠して外観の改善が図られるのは勿論のこと、さらに、膝蓋骨パットによって座位の膝形状を改善して外観を良くすることができると共に大腿ソケットと膝下外装との前側の境界部分にズボンの一部分の挟み込みを防ぐことができる。このように、上下一体型外装に比べて歩容、耐久性、外観を高めることができる。
また、請求項４のように、弾性帯が、その下端側が膝下外装の上端側に一体的に取り付けられ、その上端側が大腿ソケットの下端側に着脱自在に取り付けられている場合には、弾性帯を外すことにより膝下外装と大腿ソケットとを簡単に分割でき、又膝部分のメンテナンスを行い易くすることができる。
【考案を実施するための最良の形態】
【０００９】
以下、図面に記載の考案を実施するための最良の形態に基づいて、この考案をより具体的に説明する。
【００１０】
〔最良の形態−１〕
ここで、図１は分割型外装を備えた義足の要部断面図である。
【００１１】
図において、義足１はその内部に骨格構造２を構成する大腿パイプ２ａ、膝継手２ｂ、下腿パイプ２ｃが設けられている。義足１の内部の骨格構造２が外部から見えないように、大腿パイプ２ａの下端と下腿パイプ２ｃの上端が回動連結される膝軸２ｄを境にして、上下に二分割された膝上外装３と膝下外装４とが骨格構造２の外周にこれを覆うようにして取り付けられている。
【００１２】
膝軸２ｄの上側の膝上外装３は、その材質がやや硬めの軟性発泡材料が使用されていて所謂スポンジ状になっており、大腿パイプ２ａの外周に円筒状に取り付けられていて、内部の大腿パイプ２ａを外部から見えないようにして、その外観を高めている。
【００１３】
膝軸２ｄの下側の膝下外装４は、膝上外装３と同じ材質からなり、膝上外装３と同様に材質がやや硬めの軟性発泡材料が使用されていて所謂スポンジ状になっており、下腿パイプ２ｃの外周に円筒状に取り付けられていて、内部の下腿パイプ２ｃを外部から見えないようにして、その外観を高めている。
【００１４】
二分割した膝上外装３と膝下外装４との境界部分の膝蓋骨側１ａ、つまり膝上外装３の前面側の下端側と膝下外装４の前面側の上端側との間には、弾性帯６とこの弾性帯６の内面側に膝蓋骨パット５とが取り付けられている。
【００１５】
膝蓋骨パット５は弾性帯６の外部に接面する外面側の裏側となる弾性帯６の内面側つまり膝蓋骨側１ａに接面する側に一体的に装着されている。或いは膝蓋骨パット５は膝下外装４の前面側の上端側に装着されている。膝蓋骨パット５は例えば円形状をしており、義足１の屈曲時の膝の形状を良くすると共に伸展時のズボンの咬み込みを防止する役目を果たす。膝蓋骨パット５にはスポンジ状のものが使用される。
【００１６】
弾性帯６はその下端側が膝下外装４の前面側の上端側に一体的に取り付けられ、弾性帯６の上端側は膝上外装３の前面側に着脱自在に取り付けられている。弾性帯６は上下方向に伸縮するように取り付けられている。弾性帯６の上端側が着脱自在なため、弾性帯６の上端側を外すことにより膝下外装４と膝上外装３とを簡単に分割でき、又膝部分のメンテナンスが行い易くなる。弾性帯６による膝の伸展補助及び屈曲抵抗が極力小さくなるように、弾性帯６には例えばネオプレーンゴムなどが使用されている。
【００１７】
次に、上記考案を実施するための最良の形態の構成に基づく作用について一体型外装の場合と比較して以下説明する。
３０歳の男性のモデルに、この考案に係る分割型外装を備えた義足１と一体型外装を備えた義足とをそれぞれ装着して、歩行速度を調べた。遊脚期制御はバネによる伸展補助装置の調節により行った。
【００１８】
一体型外装装着の場合、分割型外装装着の場合に比べて膝の抵抗に合わせた歩行速度が例えば 0.2〜 0.4ｍ／秒上昇している。これは速く歩かないと一体型外装装着の場合、膝が曲がりにくくなるため、歩行が速くなり、ゆっくり歩きにくくなる。つまり、一体型外装装着の場合、膝部分の外装自体が伸展補助及び屈曲抵抗に働くためと考えられる。
【００１９】
これに対して分割型外装装着の場合には膝部分で上下に分割され、分割部分には伸展補助及び屈曲抵抗が小さい弾性帯６が取り付けられているため、一体型外装装着時に比べて膝が曲がり易く、ゆっくり歩くことが可能になるからである。一体型外装装着の場合には分割型外装装着の場合に比べて膝部分が曲がりにくいので重たくなる感じがすることがわかる。
【００２０】
また、一体型外装装着の場合と分割型外装装着の場合で、破れにくさや汚れにくさを比較したアンケートによると、過半数が分割型外装が良いとの回答を得ており、耐久性も飛躍的に向上していると考えられる。
【００２１】
さらに、膝蓋骨パット５を使用したことにより座位の膝形状を改善して外観を高めている。
【００２２】
〔最良の形態−２〕
ここで、図２は膝下外装及び大腿ソケットを備えた義足の要部断面図である。
【００２３】
図において、義足１１は膝下側の内部に骨格構造１２を構成する膝継手１２ａ、下腿パイプ１２ｂが設けられ、膝上側に大腿ソケット１３が設けられている。大腿ソケット１３の下端と下腿パイプ１２ｂの上端とは膝軸１２ｃにより前後方向に回動自在に連結されている。大腿ソケット１３の下部側には義足１１の内部の骨格構造１２が外部から見えないように、膝下外装１４が骨格構造１２の外周にこれを覆うようにして取り付けられている。
【００２４】
義足１１の膝下側に取り付けられた膝下外装１４は、その材質がやや硬めの軟性発泡材料が使用されていて所謂スポンジ状になっており、下腿パイプ１２ｂの外周に円筒状に取り付けられていて、内部の下腿パイプ１２ｂを外部から見えないようにして、その外観を高めている。
【００２５】
大腿ソケット１３と膝下外装１４との境界部分の膝蓋骨側１１ａ、つまり大腿ソケット１３の前面側の下端側と膝下外装１４の前面側の上端側との間には、弾性帯１６とこの弾性帯１６の内面側に膝蓋骨パット１５とが取り付けられている。
【００２６】
膝蓋骨パット１５は弾性帯１６の外部に接面する外面側の裏側となる弾性帯１６の内面側つまり膝蓋骨側１１ａに接面する側に一体的に装着されている。或いは膝蓋骨パット１５は膝下外装１４の前面側の上端側に装着されている。膝蓋骨パット１５は例えば円形状をしており、義足１１の屈曲時の膝の形状を良くすると共に伸展時のズボンの咬み込みを防止する役目を果たす。膝蓋骨パット１５にはスポンジ状のものが使用される。
【００２７】
弾性帯１６はその下端側が膝下外装１４の前面側の上端側に一体的に取り付けられ、弾性帯１６の上端側は大腿ソケット１３の前面側に着脱自在に取り付けられている。弾性帯１６は上下方向に伸縮するように取り付けられている。弾性帯１６の上端側が着脱自在なため、弾性帯１６の上端側を外すことにより膝下外装１４と大腿ソケット１３とを簡単に分離でき、又膝部分のメンテナンスが行い易くなる。弾性帯１６による膝の伸展補助及び屈曲抵抗が極力小さくなるように、弾性帯１６には例えばネオプレーンゴムなどが使用されている。
【００２８】
次に、上記考案を実施するための最良の形態の構成に基づく作用について一体型外装の場合と比較して以下説明する。
２５歳の女性のモデルに、この考案に係る膝下外装及び大腿ソケットを備えた義足１１と一体型外装を備えた義足とをそれぞれ装着して、歩行速度を調べた。遊脚期制御はバネによる伸展補助装置の調節により行った。
【００２９】
一体型外装装着の場合、膝下外装装着（「膝下外装及び大腿ソケットを備えた義足１１」以下同じ）の場合に比べて膝の抵抗に合わせた歩行速度が例えば 0.1〜 0.2ｍ／秒上昇している。これは速く歩かないと一体型外装装着の場合、膝が曲がりにくくなるため、歩行が速くなり、ゆっくり歩きにくくなる。つまり、一体型外装装着の場合、膝部分の外装自体が伸展補助及び屈曲抵抗に働くためと考えられる。
【００３０】
これに対して膝下外装装着の場合には膝部分で大腿ソケット１３と膝下外装１４に分離しており、この分離している境界部分には伸展補助及び屈曲抵抗が小さい弾性帯１６が取り付けられているため、一体型外装装着時に比べて膝が曲がり易く、ゆっくり歩くことが可能になるからである。一体型外装装着の場合には膝下外装装着の場合に比べて膝部分が曲がりにくいので重たくなる感じがすることがわかる。
【００３１】
また、一体型外装装着の場合と膝下外装装着の場合で、破れにくさや汚れにくさを比較したアンケートによると、過半数が分割型外装が良いとの回答を得ており、耐久性も飛躍的に向上していると考えられる。
【００３２】
さらに、膝蓋骨パット１５を使用したことにより座位の膝形状を改善して外観を高めている。
【００３３】
なお、この考案は上記考案を実施するための最良の形態に限定されるものではなく、この考案の精神を逸脱しない範囲で種々の改変をなし得ることは勿論である。前記最良の形態−１、２においては、弾性帯６、１６の下端側が膝下外装４、１４の上端側に一体的に取り付けられ、弾性帯６、１６の上端側が膝上外装３、大腿ソケット１３に装着自在に取り付けられている場合で説明したが、この逆でもよい。つまり、弾性帯６、１６の上端側が膝上外装３、大腿ソケット１３の下端側に一体的に取り付けられ、弾性帯６、１６の下端側が膝下外装４、１４に装着自在に取り付けられていてもよい。また、弾性帯６、１６の上下端側が膝上外装３、大腿ソケット１３及びに膝下外装４、１４に一体的に取り付けられていてもよい。
【図面の簡単な説明】
【００３４】
【図１】この考案を実施するための最良の形態−１を示す分割型外装を備えた義足の要部断面図である。
【図２】この考案を実施するための最良の形態−２を示す膝下外装及び大腿ソケットを備えた義足の要部断面図である。
【図３】従来の一体型外装を備えた義足の要部断面図である。
【符号の説明】
【００３５】
１    義足
１ａ  膝蓋骨側
２    骨格構造
２ａ  大腿パイプ
２ｂ  膝継手
２ｃ  下腿パイプ
２ｄ  膝軸
３    膝上外装
４    膝下外装
５    膝蓋骨パット
６    弾性帯
１１    義足
１１ａ  膝蓋骨側
１２    骨格構造
１２ａ  膝継手
１２ｂ  下腿パイプ
１２ｃ  膝軸
１３    大腿ソケット
１４    膝下外装
１５    膝蓋骨パット
１６    弾性帯
５１    義足
５２    骨格構造
５２ａ  大腿パイプ
５２ｂ  膝継手
５２ｃ  下腿パイプ
５２ｄ  膝軸
５３    一体型外装
【図１】
0003103785.tif 000003
【図２】
0003103785.tif 000004
【図３】
0003103785.tif 000005